(57)【要約】【課題】壁高欄において、低コストで確実に目地部にひび割れを誘発させ、ひび割れ処理を美しく仕上げられるようにする。【解決手段】型枠２にコンクリートを打設して壁高欄１０を施工する際に、型枠２に設けられる収縮目地形成用突部３からスリット形成用板４を突出させた状態でコンクリートを打設してひび割れ誘発目地１２・１３を施工する。具体的には、収縮目地形成用突部３を形成する面木２にスリット形成用板４を挟み込んで突出させる。そして、収縮目地形成用突部３及びスリット形成用板４を壁高欄１０のハンチ部１１まで形成する。また、スリット形成用板４としてアクリル板を使用する。【選択図】図１
2013227722.tif 000002
【特許請求の範囲】
【請求項１】
型枠にコンクリートを打設して壁高欄を施工する際に、
前記型枠に設けられる収縮目地形成用突部からスリット形成用板を突出させた状態で前記コンクリートを打設してひび割れ誘発目地を施工することを特徴とする壁高欄のひび割れ誘発目地の施工方法。
【請求項２】
前記収縮目地形成用突部を形成する面木に前記スリット形成用板を挟み込んで突出させることを特徴とする請求項１に記載の壁高欄のひび割れ誘発目地の施工方法。
【請求項３】
前記収縮目地形成用突部及びスリット形成用板を前記壁高欄のハンチ部まで形成することを特徴とする請求項１または２に記載の壁高欄のひび割れ誘発目地の施工方法。
【請求項４】
前記スリット形成用板としてアクリル板を使用することを特徴とする請求項１から３のいずれか一項に記載の壁高欄のひび割れ誘発目地の施工方法。
【請求項５】
請求項１から４のいずれか一項に記載の壁高欄のひび割れ誘発目地の施工方法により前記ひび割れ誘発目地を形成したことを特徴とする壁高欄。
【発明の詳細な説明】
【技術分野】
【０００１】
本発明は、壁高欄にひび割れを誘発させるための目地を施工する方法と、その施工方法によりひび割れ誘発目地が形成された壁高欄に関する。
【背景技術】
【０００２】
自動車専用道路などに設置される壁高欄は、国土交通省などの仕様書で延長１０ｍに１箇所、図４及び図５に示すように、収縮目地として深さ３０ｍｍのＶカットを壁部にのみ設置するよう規定されている。
しかし、実際には仕様どおり施工してもひび割れは十分に制御できず、Ｖカットとは異なる位置にひび割れが発生することが多く、高品質の壁高欄を仕上げるためには施工業者は仕様書の規定以上の対策を自主的に実施せざるを得ない。
【０００３】
一方、特許文献１において、道路橋の壁高欄や地覆などの壁状の鉄筋コンクリート構造物に断面を貫通するひび割れが発生した場合においても、補修を必要とせず、設置が容易で所要の耐久性と壁の構造上の一体性の確保を可能とする目地が提案される。
これはステンレス鉄筋を利用したひび割れ誘発用の目地で、道路橋の壁高欄や地覆などの壁状構造物に、３〜１０ｍ間隔で壁の延長方向に対して等間隔となるように設置する。この目地は壁の横断方向にロの字型などの形状に加工したステンレス鉄筋を配置することにより、また、壁の表面側に目地棒などの切り欠きを設置することにより、壁の断面積を欠損させて目地部分にひび割れの発生を誘導する構造とする。
【０００４】
また、壁高欄を対象としたものではないが、ひび割れ誘発目地材として、予め構造体内に埋め込んでおくタイプの製品も提供されており（例えば特許文献２、３参照）、ひび割れ誘発効果については一定の実績がある。
【先行技術文献】
【特許文献】
【０００５】
【特許文献１】特開２０１１−１１１８３９号公報
【特許文献２】特許第４８５４６１６（特開２００９−１９３８７号）公報
【特許文献３】特開２０１２−２６２２９号公報
【発明の概要】
【発明が解決しようとする課題】
【０００６】
ところで、壁高欄は床版や柱・梁などと比較すると重要な構造部材とはいえず、また水密性を要求されるものでもないため、ひび割れが嫌われる理由は主に見栄え上の問題である。
従って、低コストで確実に目地部にひび割れを誘発させ、ひび割れ処理を美しく仕上げられる技術が求められる。
この点、特許文献１のようなステンレス鉄筋利用のひび割れ誘発用目地や、特許文献２、３のような市販のひび割れ誘発目地材は、壁高欄に適用するには過剰品質でコストが合わない。
【０００７】
本発明の課題は、壁高欄において、低コストで確実に目地部にひび割れを誘発させ、ひび割れ処理を美しく仕上げられるようにすることである。
【課題を解決するための手段】
【０００８】
以上の課題を解決するため、請求項１に記載の発明は、
型枠にコンクリートを打設して壁高欄を施工する際に、
前記型枠に設けられる収縮目地形成用突部からスリット形成用板を突出させた状態で前記コンクリートを打設してひび割れ誘発目地を施工する、壁高欄のひび割れ誘発目地の施工方法を特徴とする。
【０００９】
請求項２に記載の発明は、
請求項１に記載の壁高欄のひび割れ誘発目地の施工方法であって、
前記収縮目地形成用突部を形成する面木に前記スリット形成用板を挟み込んで突出させることを特徴とする。
【００１０】
請求項３に記載の発明は、
請求項１または２に記載の壁高欄のひび割れ誘発目地の施工方法であって、
前記収縮目地形成用突部及びスリット形成用板を前記壁高欄のハンチ部まで形成することを特徴とする。
【００１１】
請求項４に記載の発明は、
請求項１から３のいずれか一項に記載の壁高欄のひび割れ誘発目地の施工方法であって、
前記スリット形成用板としてアクリル板を使用することを特徴とする。
【００１２】
請求項５に記載の発明は、
請求項１から４のいずれか一項に記載の壁高欄のひび割れ誘発目地の施工方法により前記ひび割れ誘発目地を形成した壁高欄を特徴とする。
【発明の効果】
【００１３】
本発明によれば、壁高欄において、低コストで確実に目地部にひび割れを誘発させて、ひび割れ処理を美しく仕上げることができる。
【図面の簡単な説明】
【００１４】
【図１】本発明を適用した型枠の一実施形態の構成を示すもので、面木へのアクリル板の挟み込みを示した平面図である。
【図２】本発明による壁高欄断面に対する収縮目地の設置を示す平断面図である。
【図３】本発明による壁高欄断面に対する収縮目地の設置範囲を示す縦断面図である。
【図４】従来の壁高欄断面に対する収縮目地の設置を示す平断面図である。
【図５】従来の壁高欄断面に対する収縮目地の設置範囲を示す縦断面図である。
【発明を実施するための形態】
【００１５】
以下、図を参照して本発明を実施するための形態を詳細に説明する。
（実施形態）
図１は本発明を適用した型枠の一実施形態の構成を示すもので、１は鉄筋、２は面木、３は収縮目地形成用突部、４はスリット形成用板である。
【００１６】
図示のように、型枠を構成する面木２の収縮目地形成用突部３の間にアクリル板によるスリット形成用板４を挟み込んでおく。
具体的には、面木２の収縮目地として深さ３０ｍｍのＶカットを形成する収縮目地形成用突部３の間に、厚さ３ｍｍ程度のアクリル板によるスリット形成用板４を挟み込み、後のコンクリート打設による壁高欄の躯体内にＶカットの先端から２０ｍｍ程度突き出す。
【００１７】
ここで、スリット形成用板４としてアクリル板を使用したのは入手しやすく、加工が容易で、適度な剛性を有し、かつ表面が平滑であるため、脱型時に撤去が容易となるからである。
また、アクリル板によるスリット形成用板４の突き出しを２０ｍｍ程度としたのは、鉄筋１のかぶりを確保し、目地が耐久性上の弱点とならないようにするためである。突き出しを大きくする程、断面欠損率が高くなり、ひび割れの誘発は確実になるが、耐久性確保の観点からは不利になるため、ひび割れ誘発効果を検証した上で適切な突き出し量として２０ｍｍ程度を定めた。
【００１８】
図２は本発明による壁高欄１０の断面に対する収縮目地１２の設置を示すもので、図示のように、深さ３０ｍｍの収縮目地１２のＶカットの中央から２０ｍｍ程度のスリット１３が形成されている。
【００１９】
そして、図３に示すように、Ｖカットによる収縮目地１２及びスリット１３の設置範囲を仕様書の規定からハンチ部１１まで延長する。
これにより、従来制御できていなかったハンチ部１１のひび割れも制御が可能となった。
【００２０】
また、土木学会のコンクリート標準示方書では、ひび割れ誘発目地による断面欠損率の目安値を３０〜５０％としているが、図５に示した従来は、１４．７％であったのに対し、実施形態では、図３に示す壁高欄１０の断面積に対する断面欠損率は３２．２％となり、下限値近くではあるが目安値に適合する。
【００２１】
以上によるひび割れ誘発目地の設置ピッチを５ｍ間隔とすることで、壁高欄１０には目地以外の場所でひび割れの発生はみられなかった。
【００２２】
なお、Ｖカット部にコーキングを行うことは、従来方法と同じである。
また、Ｖカット部の補強鉄筋にエポキシ樹脂塗布仕様等による防錆対策を施すことも有効である。
【００２３】
以上、実施形態のひび割れ誘発目地の施工方法により施工される壁高欄１０によれば、深さ３０ｍｍの収縮目地１２のＶカットの中央から２０ｍｍ程度のスリット１３を形成したことで、低コストで確実に目地部にひび割れを誘発させて、ひび割れ処理を美しく仕上げることができる。
【００２４】
（変形例）
以上の実施形態においては、深さ３０ｍｍの収縮目地と２０ｍｍ程度のスリットとしたが、本発明はこれに限定されるものではなく、  各部の寸法は任意に設定してもよい。
また、その他、具体的な細部構造等についても適宜に変更可能であることは勿論である。
【符号の説明】
【００２５】
１  鉄筋
２  面木
３  収縮目地形成用突部
４  スリット形成用板
１０  壁高欄
１１  ハンチ部
１２  収縮目地
１３  スリット
【図１】
2013227722.tif 000003
【図２】
2013227722.tif 000004
【図３】
2013227722.tif 000005
【図４】
2013227722.tif 000006
【図５】
2013227722.tif 000007